(57)【要約】【課題】小型化が容易な撮像装置を提供する。【解決手段】  高さや幅が一様なレンズユニットの上部や側面にマイク等の部品を配置すると、撮像装置の高さや幅がその分大きくなってしまう。本発明に係る撮像装置では、レンズユニットの撮像素子近傍に所定の深さのくびれ部を形成し、そのくびれ部に、くびれ部の深さ以下の高さを有する部品を配置しているので、レンズユニットの正面投影面積以内に部品を収めることができ、撮像装置全体を容易に小型化できる。【選択図】  図１
2005181448.tif 000002
【特許請求の範囲】
【請求項１】
撮影レンズと該撮影レンズの対物側のレンズよりも径が小さい撮像素子とからなるレンズユニットであって、該撮像素子近傍に所定の深さのくびれ部が形成されたレンズユニットと、
前記レンズユニットを収納する筐体であって、撮影方向の長さが前記レンズユニットの長さに略等しい筐体と、
前記筐体内において前記くびれ部に配置される機器または部品と、
を備える撮像装置。
【請求項２】
前記機器または部品は前記所定の深さ以下の高さを有することを特徴とする請求項１に記載の撮像装置。
【請求項３】
前記くびれ部は前記筐体の天面方向または側面方向に形成されたことを特徴とする請求項１または請求項２に記載の撮像装置。
【請求項４】
前記機器または部品はマイクであることを特徴とする請求項１乃至請求項３のいずれかに記載の撮像装置。
【発明の詳細な説明】
【技術分野】
【０００１】
本発明は撮像装置に係り、特に小型化の容易な撮像装置に関するものである。
【背景技術】
【０００２】
従来、ビデオカメラやデジタルカメラ等の撮像装置では、図４（ａ）の例に示すようにマイクユニット１０６をレンズユニット１０４とＥＶＦ（電子ビューファインダ）１１０の高さの差を利用して配置したり、また図４（ｂ）の例に示すように、マイクユニット１０６’をレンズユニット１０４’とＥＶＦ１１０’の間に配置したりしていたため、筐体が大きくなっていた。
【０００３】
また、このような撮像装置に用いられるマイクユニット及びその支持方法が知られている（例えば、特許文献１及び特許文献２参照）。
【特許文献１】特開平８−２３７７８５号公報
【特許文献２】特開平５−８３７８３号公報
【発明の開示】
【発明が解決しようとする課題】
【０００４】
上述のような従来の撮像装置では、ＥＶＦをレンズユニットの後ろに配置せず、筐体の撮影方向長さをレンズユニットの長さと同程度にして撮像装置を小型化しようとする場合、マイクユニットをレンズユニットの上部または側面に配置せざるを得ず（図５及び図６参照）、撮像装置の高さや幅がマイクユニットの分（図５のＡ及び図６のＡ’に相当）レンズユニットの正面投影面積よりも大きくなり、十分な小型化が困難であった。
【０００５】
本発明は上記事情を鑑みてなされたもので、小型化が容易な撮像装置を提供することを目的とする。
【課題を解決するための手段】
【０００６】
上記目的を達成するために、請求項１に係る撮像装置は、撮影レンズと該撮影レンズの対物側のレンズよりも径が小さい撮像素子とからなるレンズユニットであって、該撮像素子近傍に所定の深さのくびれ部が形成されたレンズユニットと、前記レンズユニットを収納する筐体であって、撮影方向の長さが前記レンズユニットの長さに略等しい筐体と、前記筐体内において前記くびれ部に配置される機器または部品と、を備える。
【０００７】
請求項１に係る撮像装置では、くびれ部の深さの分、機器または部品の高さにより筐体のその部分が大きくなるのを抑えることができ、小型化が容易である。
【０００８】
請求項２に係る撮像装置は、請求項１に係る撮像装置において、前記機器または部品は前記所定の深さ以下の高さを有することを特徴としている。
【０００９】
請求項２に係る撮像装置では、機器または部品の高さにより筐体のその部分が大きくなることがなく、さらに容易に小型化できる。
【００１０】
請求項３に係る撮像装置は、請求項１または請求項２に係る撮像装置において、前記くびれ部は前記筐体の天面方向または側面方向に形成されたことを特徴としている。
【００１１】
請求項４に係る撮像装置は、請求項１乃至請求項３のいずれかに係る撮像装置において、前記機器または部品はマイクであることを特徴としている。
【発明の効果】
【００１２】
本発明に係る撮像装置では、小型化が容易である。
【発明を実施するための最良の形態】
【００１３】
以下、添付図面に従って、本発明に係る撮像装置の好ましい実施の形態について詳説する。
【００１４】
（第一の実施形態）
図１に、本実施の形態に係るビデオカメラ１０の概観を示す。図１（ａ）は側面図（透視図）、図１（ｂ）は斜視図（透視図）である。ビデオカメラ１０は、筐体１２内にレンズユニット１４と電子回路部１８が収納されており、レンズユニット１４には筐体１２の天面方向にくびれ部４０が形成されており、そのくびれ部４０にマイクユニット１６が配置されている。また、ビデオカメラ１０は開閉式の液晶モニタ２０を備えている。
【００１５】
図２に、レンズユニット１４の概観を示す。図２（ａ）はレンズユニット１４の正面図、図２（ｂ）は側面図（透視図）、図２（ｃ）は背面図である。レンズユニット１４は撮影レンズ２２と、フォーカスレンズ２４と、変倍レンズ２６と、コンビネーションレンズ２８と、リレーレンズ３０とを備えており、図示しない駆動モータがフォーカスレンズ２４と、変倍レンズ２６と、コンビネーションレンズ２８とを駆動してズームポジション及びフォーカスの調整を行う。
【００１６】
レンズユニット１４の端部にはまた、ＣＣＤ３２が備えられている。ＣＣＤ３２は撮影レンズ２２よりも径が小さく、撮影レンズ２２等のレンズで集光された光線により撮像を行う。
【００１７】
図２に示すように、レンズユニット１４においてＣＣＤ３２の近傍には深さＤ１のくびれ部４０が形成されている。このくびれ部に高さＨ１（Ｄ１＞Ｈ１）のマイクユニット１６を配置することで、マイクユニット１６の上面がレンズユニット１４の上面以下となる。
【００１８】
このように、ビデオカメラ１０では、レンズユニット１４のくびれ部４０にマイクユニット１６を配置しているので、マイクユニット１６を配置した部分が他の部分より高くなることがなく、マイクユニット１６をレンズユニット１４の正面投影面積内に収めることができる。これにより筐体１２をレンズユニット１４の高さに合せて成型し、ビデオカメラ１０全体を容易に小型化することができる。
【００１９】
（第二の実施形態）
図３に、本実施の形態に係るビデオカメラ１０’の概観を示す。図３（ａ）は側面図（透視図）、図３（ｂ）は上面図（透視図）、図３（ｃ）は斜視図（透視図）である。ビデオカメラ１０’は、筐体１２’内にレンズユニット１４’と電子回路部１８’が収納されており、レンズユニット１４’には筐体１２’の側面方向にくびれ部４０’が形成されており、そのくびれ部４０’にマイクユニット１６’が配置されている。また、ビデオカメラ１０’は開閉式の液晶モニタ２０’を備えている。
【００２０】
レンズユニット１４’の構成は第一の実施形態に係るビデオカメラ１０のレンズユニット１４と同様であるが、レンズユニット１４’においてはくびれ部４０’は筐体１２’の側面方向に形成されている。また、レンズユニット１４’において、ＣＣＤ３２’の近傍には深さＤ２のくびれ部４０’が形成されている。このくびれ部に高さＨ２（Ｄ２＞Ｈ２）のマイクユニット１６’を配置することで、マイクユニット１６’の側面がレンズユニット１４’の側面より中心寄りになる。
【００２１】
このように、ビデオカメラ１０’では、レンズユニット１４’のくびれ部４０’にマイクユニット１６’を配置しているので、マイクユニット１６’を配置した部分の幅が他の部分の幅より厚くなることがなく、マイクユニット１６’をレンズユニット１４’の正面投影面積内に収めることができる。これにより筐体１２’をレンズユニット１４’の厚さに合せて成型し、ビデオカメラ１０’全体を容易に小型化することができる。
【００２２】
なお、上記第一の実施形態及び第二の実施形態では、レンズユニットに一つのくびれ部を設けているが、本発明に係る撮像装置ではくびれ部は一つに限定されるものではない。例えば、上記第二の実施形態に係るビデオカメラ１０’において、レンズユニット１４’の両側面にくびれ部を設け、それぞれのくびれ部に機器や部品を配置するようにしてもよい。
【００２３】
また、上記第一の実施形態及び第二の実施形態では、くびれ部にマイクユニットを配置する場合について説明しているが、本発明に係る撮像装置では、くびれ部にはマイクユニットの他スピーカユニットなど様々な機器、部品を配置することが可能である。
【００２４】
また、上記第一の実施形態及び第二の実施形態では、ビデオカメラについて説明しているが、本発明に係る撮像装置はビデオカメラのみに適用されるものではなく、デジタルビデオ、デジタルカメラなど様々な撮像装置に適用することが可能である。
【図面の簡単な説明】
【００２５】
【図１】本発明の第一の実施形態に係るビデオカメラの概観図である。
【図２】本発明の第一の実施形態に係り、レンズユニットの概観図である。
【図３】本発明の第二の実施形態に係るビデオカメラの概観図である。
【図４】従来のビデオカメラの例を示す概観図である。
【図５】従来のビデオカメラの他の例を示す概観図である。
【図６】従来のビデオカメラの他の例を示す概観図である。
【符号の説明】
【００２６】
１０、１０’・・・ビデオカメラ、１２、１２’・・・筐体、１４、１４’・・・レンズユニット、１６、１６’・・・マイクユニット、１８、１８’・・・電子回路部、２０、２０・・・液晶モニタ、３２、３２’・・・ＣＣＤ、４０、４０’・・・くびれ部、Ｄ１、Ｄ２・・・マイクユニットの高さ、Ｈ１、Ｈ２・・・くびれ部の深さ
【図１】
2005181448.tif 000003
【図２】
2005181448.tif 000004
【図３】
2005181448.tif 000005
【図４】
2005181448.tif 000006
【図５】
2005181448.tif 000007
【図６】
2005181448.tif 000008